(57)【要約】      （修正有）【課題】製造原価の高いスリット封鎖具を用いることなく、ハイヒール靴のヒールが水抜き孔に喰い込む事故を回避することができるコンクリート製側溝を提供する。【解決手段】天板部は、両側部を備え、上側表面に平面表面を有し、平面表面には、両側方から長手方向中央線に向かってわずかに傾斜して凹面状窪みが形成されると共に、中央線を中央にして、中央線に直角に平面表面の両側方に向かって細長状に通水路部に連通する４つの集水孔２１Ａ〜Ｄが形成されている。集水孔は、狭さく部を有し、通水路部に向かって口径を拡大して形成され、等間隔Ｌを置いて配設されている。【選択図】図１
0003192842.tif 000002
【実用新案登録請求の範囲】
【請求項１】
本体と本体内部に形成された通水路部とから形成され、通水路部内を雨水あるいは汚染水が流過するコンクリート製側溝において、
本体が、水平方向に長く延在して内部に鉄筋を備えて両側部、両側部の上側に形成された天板部および両側部の下側に形成された底部が同一長さに成形され、長手方向端面に止水シール材が装着される止水シール溝部を備えた一体形態とされ、
天板部は、天板部両側部が長手方向に対して直角方向に、両側部の各側部外端面より外側にまで延在し、上側表面に平面表面を有する形態で形成され、該平面表面が両側方から長手方向中央線に向かってわずかに傾斜して凹面状窪みを形成し、長手方向端面に形成されることなく、中央線を中央にして、中央線に直角に平面表面に両側方に向かって細長状に開口し、開口部に狭さく部が形成され、狭さく部から通水路部に向かって口径が拡大されて形成され、等間隔に配設された、通水路部に連通した複数の集水孔を備えたこと
を特徴とするコンクリート製側溝。
【請求項２】
請求項１に記載されたコンクリート製側溝において、集水孔の、中央線に直角に平面表面に両側方に向かって細長状に形成された開口は、先端部断面の開口幅が太足タイプの２０×１６ｍｍのハイヒールが喰い込みすることから防止する寸法幅の１６−１２ｍｍの範囲内に形成されることを特徴とするコンクリート製側溝。
【考案の詳細な説明】
【技術分野】
【０００１】
本考案は、コンクリート製側溝に関する。
【背景技術】
【０００２】
本体と本体内部に形成された通水路部とから形成され、本体が、水平方向に長く延在して内部に鉄筋を備えて両側部、両側部の上側に形成された蓋部および両側部の下側に形成された底部が同一長さに成形され、長手方向端面にシール材が装着されるシール溝部を備えた一体形態とされ、通水路部内を雨水あるいは汚染水が流過するコンクリート製側溝ブロックが実用に供されている。
【０００３】
特許文献１には、かかる一体形態のコンクリート製側溝ブロックが記載されている。
【０００４】
特許文献２には、一体形態のコンクリート製側溝ブロックの表面部にブロックの長手方向にスリットが形成され、スリットを閉鎖するスリット封鎖具が記載されている。
【０００５】
特許文献３には、U字溝に蓋を組み合わせた構造のもので、蓋端面に水抜き孔を形成したブロックあるいは上面を平面化した一体形側溝の上面に水抜き孔を長手方向に対して直角方向に形成することが記載されている。
【先行技術文献】
【特許文献】
【０００６】
【特許文献１】意匠登録第１１５２４６７号公報
【特許文献２】実用新案登録第３１５５０２６号公報
【特許文献３】実開昭５８−１６０９８０公報
【考案の概要】
【考案が解決しようとする課題】
【０００７】
特許文献１あるいは特許文献２に示されるように、一体形態のコンクリート製側溝が製作されるようになって来た。しかしながら、水抜き孔はブロック長手方向に単独にあるいは複数個穿けられる形態のものが主流をなし、女性が履くハイヒール靴のヒールの水抜き孔への喰い込み易い形態であり、喰い込み防止の観点からの配慮がなされて来なかった。また、特許文献３に記載されているタイプのものにあっては、側溝ブロック長手方向に対して直角方向に水抜き孔を配設するものであるが、水抜き孔の大きさについては配慮されておらず、女性が履くハイヒール靴のヒールの水抜き孔への喰い込みについては配慮がなされているとはいえないものであった。女性がハイヒール靴を履いた時に、ヒールが１１×１１ｍｍあるいは１１×１３mmのような細足タイプのようなときには、水抜き孔が設けられた側溝ブロックの上を歩き、ヒールが水抜き孔に喰い込むような可能性は当初から敬遠されるためになく、あるいは可能性は極めて低いものと考えられる。しかしながら、太足タイプの２０×１６ｍｍのハイヒール靴が履かれたようの場合、ヒールが水抜き孔に喰い込むというようなことを想定していないためにより危険性が高くなる。ヒールが抜き孔に喰い込むというような危険性を防止するために特許文献２に示されるようなスリット封鎖具を用いるものにあっては側溝の製造原価が高くなってしまう。
【０００８】
本発明は、かかる点に鑑みてハイヒール靴を履いた女性の歩く方向を勘案し、また太足タイプのハイヒール靴が履かれたようの場合を勘案し、上側表面の傾斜と水抜き孔の配置を利用してヒールが水抜き孔に喰い込むというようなこと事故を回避するに有効で、スリット封鎖具を用いるようなことがなく、製造原価が高くなることを抑えることのできるコンクリート製側溝を提供することを目的とする。
【０００９】
本発明は、また水抜き孔の配置並びに大きさによってヒールが水抜き孔に喰い込むというようなこと事故を回避することが出来るコンクリート製側溝を提供することを目的とする。
【課題を解決するための手段】
【００１０】
本考案は、本体と本体内部に形成された通水路部とから形成され、通水路部内を雨水あるいは汚染水が流過するコンクリート製側溝において、
本体が、水平方向に長く延在して内部に鉄筋を備えて両側部、両側部の上側に形成された天板部および両側部の下側に形成された底部が同一長さに成形され、長手方向端面に止水シール材が装着される止水シール溝部を備えた一体形態とされ、
天板部は、天板部両側部が長手方向に対して直角方向に、両側部の各側部外端面より外側にまで延在し、上側表面に平面表面を有する形態で形成され、該平面表面が両側方から長手方向中央線に向かってわずかに傾斜して凹面状窪みを形成し、長手方向端面に形成されることなく、中央線を中央にして、中央線に直角に平面表面に、凹面状窪みに沿い、かつ両側方に向かって細長状に開口し、開口部に狭さく部が形成され、狭さく部から通水路部に向かって口径が拡大されて形成され、等間隔に配設された、通水路部に連通した複数の集水孔を備えたことを特徴とするコンクリート製側溝を提供する。
【００１１】
また、本考案は、上述したコンクリート製側溝において、集水孔の、中央線に直角に平面表面に両側方に向かって細長状に形成された開口は、先端部断面の開口幅が太足タイプの２０×１６ｍｍのハイヒールが喰い込みすることから防止する寸法幅の１６−１２ｍｍの範囲内に形成されることを特徴とするコンクリート製側溝を提供する。
【考案の効果】
【００１２】
本考案によれば、上述したように構成されているので、ハイヒール靴を履いた女性の歩く方向が勘案され、また太足タイプのハイヒール靴が履かれたようの場合が勘案され、上側表面の傾斜と水抜き孔の配置が利用されてヒールが水抜き孔に喰い込むというようなこと事故を回避するに有効で、スリット封鎖具を用いるようなことがなく、製造原価が高くなることを抑えることのできるコンクリート製側溝が提供される。
【００１３】
また本考案によれば、集水孔の、中央線に直角に平面表面に両側方に向かって細長状に形成された開口は、先端部断面の開口幅が太足タイプの２０×１６ｍｍのハイヒールが喰い込みすることから防止するに十分な１６−１２ｍｍの範囲内の幅に形成されることを特徴とするコンクリート製側溝が提供され、ヒールが水抜き孔に喰い込むというようなこと事故を回避することが出来、スリット封鎖具のような水抜き孔を封鎖するような部材を用いるようなことがなく、ヒールが水抜き孔に喰い込むというようなこと事故が回避され、製造原価が高くなることが抑えられる。
【図面の簡単な説明】
【００１４】
【図１】本考案実施例の平面を示す図。
【図２】本考案実施例の長手方向の側面を示し、右半分が側部断面を示す図。
【図３】本考案実施例の左側面を示す図。
【図４】本考案実施例の右側面を示す図。
【図５】水抜き孔の構造を示す図。
【図６】シール目地部詳細を示す図。
【図７】ジョイント部の詳細を示す図。
【考案を実施するための形態】
【００１５】
以下、本考案の形態を図面に基づいて説明する。
【００１６】
図１は、本発明の実施例であるコンクリート製側溝ブロック（以下、コンクリート製側溝という）１００を上方から見た平面図であり、図２は、コンクリート製側溝１００を手前側方から見た長手方向の側面を示す図である。図３は、本考案実施例の左側面を示す図であり、図４は、本考案実施例の右側面を示す図である。
【００１７】
これらの図において、コンクリート製側溝１００は、本体１と本体内部に形成された通水路部２とから形成され、通水路部２内を雨水あるいは汚染水が流過する。
【００１８】
本体１が、水平方向に長く延在して内部に鉄筋３を備えて両側部１１、両側部の上側に形成された天板部（蓋部）１２および両側部の下側に形成された底部１３を備え、両側部１１、天板部１２および底部１３が同一長さに成形される。長手方向左側端面に、通水路部２を囲むようにして止水シール材（図示せず）が装着される止水シール溝部１４が形成される。両側部１１、天板部１２および底部１３を備えた本体１は、一体形態とされる。
【００１９】
図６に、両側部１１の片側側部上に形成されたシール目地詳細を示す。シール目地は、わずかに凹部をなし、止水シール溝部１４を形成する。
【００２０】
天板部１２は、天板部両側部１５が長手方向に対して直角方向に、両側部の各側部外端面より外側にまで延在し、上側表面に平面表面１６を有する形態で形成される。この平面表面１６は、両側方から長手方向中央線Ｏに向かってわずかに傾斜して凹面状窪み１７を形成する。平面表面１６は、傾斜平面となる。天板部１２に、集水孔２１が形成される。集水孔２１は、排水あるいは水抜き孔として機能し、平面表面１６の内方に複数並列して形成されるが、本体に蓋板が設置されるようなタイプの側溝ブロックのように蓋部の長手方向端面に形成されることがない。集水孔２１は、中央線Ｏを中央にして、中央線Ｏに直角に平面表面１６上に、凹面状窪み１７に沿い、かつ両側方に向かって細長状に開口する。
【００２１】
図５に、集水孔２１の詳細を示す。図５（ａ）は、側方（図面で上下方向）から見た断面図であり、図５（ｂ）は、長手方向（図面で左右方向）から見た断面図である。集水孔２１は、平面表面１６付近で狭さく部５１が形成され、狭さく口径とされる。狭さく部は、くびれあるいは喉部ともいうことが出来る。集水孔２１は、狭さく部５１から次第に通水路部２に向けて拡大した拡大口径部５２を備えたものとされ、効率的に排水することの出来る排水路５３が形成される。図５にあっては、狭さく部５１が平面表面１６付近に設定され、上側がわずかに広がりのある入口部とされ、下側が拡大した口径部５２とされているが、平面表面１６の面上に面一に形成されてもよい。長年の使用による破損を考慮した時に、平面表面１６付近に狭さく部５１を形成することが勧められる。このようにして、集水孔２１の入口である開口部５０に狭さく部が形成される。狭さく部５１がこのような形状の集水孔の製作は製作工具に集水孔形状に適合させる工夫を要するが、ハイヒールのヒールの喰い込みを回避させ、雨水の排水能力を保持するのに適している。
【００２２】
集水孔２１は、平面表面１６の内方に、等間隔Lを置いて形成された、通水路部２に連通した４つの集水孔２１Ａ、２１Ｂ、２１Ｃ、２１Ｄとして形成され、配置される。
【００２３】
４つとしたのは、５つ以上にすることで強度がなくなることを回避し、集水効果を弱めないことから最も望ましい形態であることによる。
【００２４】
上述したように、平面表面（傾斜平面）１６は、両側方から長手方向中央線Ｏに向かってわずかに傾斜して凹面状窪み１７を形成する。凹面状窪み自体の形態は、特許文献１に記載されているように公知の構造である。本実施例では、この傾斜は、中央線Ｏに向かって、例えば２度の傾斜とされる。２度の傾斜があると、平面表面が傾斜していることを履いている靴の底からの感覚を知得できる。また、雨水を集水するに十分な傾斜となる。感知できる角度であればよく、２度には限定されない。しかし、あまりに大きくすることは、人間がこの平面状を歩行する上で望ましいものではない。中央線Ｏおよび平面１６の外側縁部は、わずかに帯状であってもよい。
【００２５】
本発明にあっては、このわずかな傾斜が凹面状窪み１７に沿い、中央線Ｏの真ん中を中央にして両側方に向かって細長状に開口する上述した集水孔２１が形成される。
【００２６】
コンクリート製側溝ブロックにおいて、集水孔の、中央線に直角に平面表面に両側方に向かって細長状に形成された開口は、先端部断面の開口幅が太足タイプの２０×１６ｍｍのハイヒールが喰い込みすることから防止する寸法幅の１６−１２ｍｍの範囲内に形成される。狭さく部の幅が１６−１２ｍｍ確保されることで、排水機能が確保される。
【００２７】
特許文献１に示されるように長手方向に形成されていると、歩行方向が集水孔方向に一致し、ヒールが長手方向の集水孔に喰い込みやすい。両側方に向かって細長状に開口する集水孔２１の形態は、必然的にハイヒールのヒールが集水孔２１に喰い込む事故発生の確率を低下させる。
【００２８】
重要なことは、このわずかな傾斜が凹面状窪み１７が、両側方に向かって細長状に開口する集水孔２１の存在を感覚的に歩行する人間に、特にハイヒールを履いた女性に知らせることになることである。この感覚的知得によって、ハイヒールを履いた女性に、中央線Ｏを中心として歩行させ、わずかな傾斜が凹面状窪み１７が、両側方に向かって細長状に開口する集水孔２１の存在を感覚的に知らせることになる。特許文献１に示されようにハイヒールを履いた女性が中央線Ｏ付近を歩行したときに比べればヒールが集水孔に喰い込む可能性が減ることになる。例えば、集水孔２１４個形成の場合、１/４に減少する。上述したように、細足タイプのハイヒールを履いた女性が側溝ブロック上を歩行することは当初から敬遠されるであろうが、太足タイプのハイヒールを履き、側溝ブロック上を歩行する女性に対するハイヒールのヒールの喰い込みを回避させる効果は大きい。本実施例では、集水孔２１の開口部１７に狭さく部を形成しているので、ヒールの集水孔への喰い込みを回避させる効果はさらに大きくなる。この場合にあっても、雨水の排水機能は失われない。
【００２９】
コンクリート製側溝同士の連結方法について説明する。
【００３０】
図３において、コンクリート製側溝１００の天板部両側部１５の側面にわずかに凹む凹部１８が形成される。また、図４において、コンクリート製側溝１００の天板部両側部１５の側面にわずかに凹む凹部１９が形成される。凹部１８および凹部１９に、金属製のジョイント板７１が配置される。両コンクリート製側溝１００に亘って金属製のジョイント板７１が配置される。ジョイント板は、薄板で形成され、矩形状をなし、中央にボルト孔７２が形成され、天板部両側部１５との間に空隙を形成する。板部両側部１５との間に形成された空隙に金属製のジョイント板７１が装着される。装着後、インサート７３がボルト孔７２を貫通して天板部両側部１５の側面に装着され、ボルト締めされる。この作業によって隣接するコンクリート製側溝が接続される。
【００３１】
本考案実施例によれば、集水孔の、中央線に直角に平面表面に両側方に向かって細長状に形成された開口部には幅狭の狭さく部が形成され、例えば先端部断面の開口幅が太足タイプの２０×１６ｍｍのハイヒールが喰い込みすることから防止するに十分な１６−１２ｍｍの範囲内の幅に形成されるコンクリート製側溝が提供され、ヒールが水抜き孔に喰い込むというようなこと事故を回避することが出来、スリット封鎖具のような集水孔（水抜き孔）を封鎖するような部材を用いるようなことがなく、ヒールが水抜き孔に喰い込むというようなこと事故が回避され、排水機能を減ずることなく製造原価が高くなることが抑えられる。
【符号の説明】
【００３２】
１…本体、２…通水路部、１１…側部、１２…天板部（蓋部）、１３…底部、１４…止水シール溝部、１５…天板部両側部、１６…傾斜平面、１７…凹面状窪み、２１…集水孔、５０…開口部、５１…狭さく部、５２…拡大口径部、５３…排水路部、Ｏ…中央線、１００…コンクリート製側溝。
【図１】
0003192842.tif 000003
【図２】
0003192842.tif 000004
【図３】
0003192842.tif 000005
【図４】
0003192842.tif 000006
【図５】
0003192842.tif 000007
【図６】
0003192842.tif 000008
【図７】
0003192842.tif 000009